(57)【特許請求の範囲】
【請求項１】
内部に電気機器を収納した筐体本体の天面から突出する排気ダクトを取り付けた電気機器収納用箱であって、
該排気ダクトは、一端が筐体本体に形成された開口部に連設された筒状ダクト部と、該筒状ダクト部の他端に筒状ダクト部から離れる方向に折り曲げ形成された折曲片と、該折曲片の端部に形成した排気口を有する排気面とからなり、
該筒状ダクト部内には、筐体内部の排気を行う排気ファンを備え、
前記排気口を有する排気面を排気ファンを備えた筒状ダクト部の四方に形成し、
該排気口を有する排気面を、排気ダクトの筒状ダクト部と対向させて、
もしくは、排気ダクトの天井を覆うフードと対向させて開口形成したことを特徴とする電気機器収納用箱。
【発明の詳細な説明】
【技術分野】
【０００１】
本発明は、筐体内で発生する熱を効果的に外部に排出する排気ダクトを備えた電気機器収納用箱に関するものである。
【背景技術】
【０００２】
従来から、筺体の天井に排気ダクトを設けて筐体内の熱を外部に排出させる電気機器収納用箱が知られている。この場合、筐体内の熱は、排気ファンにより天井に位置する排気ダクト内に誘導されて排気口から排出されることになるが、例えば図５のように、排気ファン３を筐体の内側に突出形成した場合には、排気ファン３の側壁周辺の暖気が排気ダクト方向に十分誘導されずに筐体内で攪拌されるため、電気機器９の排熱が十分にされないという問題があった。そこで、図６のように、電気機器９の上部に仕切板１０を形成して空気の攪拌を防止することも考えられるが、電気機器９の取付スペースが制限されてしまうという問題が生じる。
【０００３】
この問題を回避可能な構造として、排気ファンを排気ダクト内に設けた電気機器収納用箱も提案されている（特許文献１）。電気機器収納用箱は屋外に設置されることも多いが、特許文献１に記載の電気機器収納用箱は排気口が下向きに形成されているため、屋外に設置すると大雨時に雨水が排気口から浸入したり、暴風により塵などの異物が侵入して、電気機器に支障をきたす恐れがあった。
【先行技術文献】
【特許文献】
【０００４】
【特許文献１】特開平７−８７６２９号公報
【発明の概要】
【発明が解決しようとする課題】
【０００５】
本発明の目的は前記問題を解決し、電気機器の十分な取付スペースを確保しつつ筐体内の暖気の攪拌を防止できるとともに、屋外に設置しても雨水や異物が侵入することのない電気機器収納用箱を提供することである。
【課題を解決するための手段】
【０００６】
上記課題を解決するためになされた本発明は、内部に電気機器を収納した筐体本体の天面から突出する排気ダクトを取り付けた電気機器収納用箱であって、該排気ダクトは、一端が筐体本体に形成された開口部に連設された筒状ダクト部と、該筒状ダクト部の他端に筒状ダクト部から離れる方向に折り曲げ形成された折曲片と、該折曲片の端部に形成した排気口を有する排気面とからなり、該筒状ダクト部内には、筐体内部の排気を行う排気ファンを備え、前記排気口を有する排気面を排気ファンを備えた筒状ダクト部の四方に形成し、該排気口を有する排気面を、排気ダクトの筒状ダクト部と対向させて、もしくは、排気ダクトの天井を覆うフードと対向させて開口形成したことを特徴とするものである。
【発明の効果】
【０００７】
本発明に係る電気機器収納用箱は、一端が筐体本体の天面に形成された開口部に連設された筒状ダクト部と、該筒状ダクト部の他端に形成した折曲片と、該折曲片の端部に形成した排気口を有する排気面を有する排気口とからなる排気ダクトを備え、この排気口を有する排気面を排気ファンを備えた筒状ダクト部の四方に形成し、該排気口を有する排気面を、排気ダクトの筒状ダクト部と対向させて、もしくは、排気ダクトの天井を覆うフードと対向させて開口形成している。これにより、大雨や暴風時であっても雨水や塵等の異物が排気口から筐体内に侵入することを防止ができ、しかも排気口は外側から見えないので外観も良くなる。また、筒状ダクト部内に排気ファンを備えるので、筐体内の収納スペースを広げることができるとともに、筐体内の暖気の攪拌を防止して効果的に排熱を行うことができる。
【０００８】
特に、排気口を排気ダクトの筒状ダクト部方向に向けて形成すれば、結露が発生した場合や万が一排気口から雨水が侵入した場合であっても折返部内に水が溜まることなく排出されるので好ましい。
【図面の簡単な説明】
【０００９】
【図１】第１の実施形態を示す電気機器収納用箱の断面図である。
【図２】図１の要部拡大断面図である。
【図３】第２の実施形態を示す要部拡大断面図である。
【図４】第１の実施形態の排気ダクトの分解斜視図である。
【図５】従来例を示す電気機器収納用箱の断面図である。
【図６】図５の筐体内上部に仕切板を形成したことを示す断面図である。
【発明を実施するための形態】
【００１０】
以下に本発明の好ましい実施形態を示す。
図１において、１は筐体本体、２は排気ダクト、３は排気ファンである。本発明に係る電気機器収納用箱は、筐体本体１と、筐体本体１の天井面から垂直方向に突出形成させた排気ダクト２と、排気ダクト２内に設けられた排気ファン３とから構成され、筐体本体１内の暖気を排気ファン３の運転により排気ダクト２を通って外部に排出させる構造のものである。
【００１１】
筐体本体１内にはキュービクル等で使用する高圧機器やパワーコンディショナー、トランス、開閉器、配電盤等の電気機器が収納される。筐体本体１の天井面には排気ダクト２を接続する開口部４が形成されている。
【００１２】
排気ダクト２は断面略Ｔ字状をなし、一端を開口部４に連設した筒状ダクト部５と、筒状ダクト部５の他端に形成した折返部６と、折返部６の端部に形成した排気口７とからなり、この排気口７を図２に示すように筒状ダクト部５方向又は図３に示すように折返部６方向に向けて開口形成している。これにより、排気口７は外側から見えないので外観がよくなるとともに、雨水や塵等の異物が排気口７から筐体本体１内に侵入することを防止できる。
【００１３】
図１及び図２に示す第１実施形態では、折返部６は断面Ｌ字状をなすので、排気口７は筒状ダクト部５の方向に向いているが、図３の第２実施形態のように、折返部６の先端をさらに垂直上向きに折り曲げて排気口７を電気機器収納用箱の筐体本体１から離れる方向となる上向きに、すなわち、折返部６方向に向けて形成することもできる。但し、この向きでは結露が発生した場合や万が一雨水が浸入した場合に折返部６内に水が溜まってしまう恐れがあるので、排気口７の開口方向を図１及び図２のように、筒状ダクト部５の方向に向けることが望ましい。
【００１４】
さらに筒状ダクト部５の内壁には、排気ファン３を支持するブラケット８が取り付けられており、排気ファン３全体を筒状ダクト部５内に収めている。これにより、筐体内の暖気は排気ダクト２に誘導され、筐体内で滞留・攪拌することを防止できる。その結果、従来のように電気機器９の上部に仕切板１０を設ける必要もないので、筐体内の収納スペースを広げることができる。なお、本実施形態では排気ファン３をブラケット８で支持する構造としたが、これに限定されるものではなく、例えば筒状ダクト部５に直付けしてもよい。
【００１５】
上記においては排気ダクト２、排気ファン３、排気口７の位置関係について示したものであるが、以下に排気ダクト２の構造の詳細について説明する。図２及び図４に示すように、第１の実施形態の排気ダクト２は筒状ダクト部５、排気枠１１、フード１２からなる。筒状ダクト部５の一端は筐体本体１に取付形成し、筒状ダクト部５の他端は筒状ダクト部５から離れる方向に折り曲げ形成された折曲辺５ａ、折曲辺５ａより電気機器収納用箱の方向に垂下げて形成された垂下辺５ｂを形成している。排気枠１１は筒状ダクト部５より大きい枠体で面全体をパンチングメタルで形成した排気口７を有する排気面１１a、排気面より折曲げ形成した折曲辺１１bを形成している。フード１２は天面１２ａ及び天面１２ａの端部から垂下げ形成された側面１２ｂ、側面１２ｂよりフード１２の内側に折曲げ形成された折返面１２ｃから形成され、筒状ダクト部５及び排気枠１１を覆うように形成される。
【００１６】
筒状ダクト部５の左右面もしくは前後面の何れかにクランク状のブラケット１３を形成しており、ブラケット１３は筒状ダクト部５に取り付けられる取付面１３ｃ、取付面１３ｃより離れる方向に折り曲げた折曲辺１３ｂ、折曲辺１３ｂの端部から立上げた立上辺１３ａからなる。排気枠１１は筒状ダクト部５を覆うように取り付け、排気枠１１をブラケット１３にて仮保持させた状態で、排気面１１ａと筒状ダクト部５の垂下辺５ｂをねじで固定させる（図記載なし）。なお、この際、排気枠１１の高さは筒状ダクト部５の折曲辺５ａより突出しないようになっており、排気枠１１により通風路を阻害しないように形成している。また、フード１２の側面１２ｂの左右面もしくは前後面の何れかに取付孔１２ｄを形成しており、排気枠１１を筒状ダクト部５に取り付けた後、フード１２を被せ、側面１２ｂの取付孔１２ｄ、ブラケット１３の立上辺１３ａの取付孔１３ｄを対応させてねじ止め固定するものである。
【００１７】
なお、以上に説明した第１の実施形態の折返部６は、フード１２の天面１２ａの端部及び側面１２ｂ、折返面１２ｃ及び筒状ダクト部５の折曲辺５ａ及び垂下辺５ｂにより形成され、折返部６の端部に、排気ダクトの筒状ダクト部と対向させて排気口７が形成される構造になるものである。また、第２の実施形態に示すように排気口７が折返部６方向、すなわち排気ダクトの天井を覆うフードと対向させてを向くように形成する場合は、排気枠１１の上端を折曲形成し、折曲げ形成した上端を排気口７で形成し、その他の部分は板面で形成すれば良いものである。
【００１８】
以上に説明したように、本発明に係る電気機器収容用箱は、排気口を筒状ダクト部と対向させて、あるいは排気ダクトの天井を覆うフードと対向させて形成したので雨水や塵等の異物の侵入を阻止できる。さらに、排気ファンを筒状ダクト部５内に備えたので、電気機器の取付スペースを確保しつつ筐体内の暖気の攪拌を防止できる、等の利点を有する。
【符号の説明】
【００１９】
１  筐体本体
２  排気ダクト
３  排気ファン
４  開口部
５  筒状ダクト部
６  折返部
７  排気口
８  ブラケット
９  電気機器
１０  仕切板
１１  排気枠
１２  フード
１３  ブラケット
【図１】
0005760242.tif 000002
【図２】
0005760242.tif 000003
【図３】
0005760242.tif 000004
【図５】
0005760242.tif 000005
【図６】
0005760242.tif 000006
【図４】
0005760242.tif 000007